(57)【要約】【課題】天井から吊下げられた天井扇風機において、天井扇風機本体が正しく吊下げられているかを確実に確認できることを目的とする。【解決手段】天井に固定される吊下手段２と、この吊下手段２を介して吊下げられる天井扇風機本体３とを備え、天井扇風機本体３は、水平方向に付設した複数の羽根４を回転するモータと、そのモータの上部に突出したシャフト５と、そのシャフト５の上部に固定されたジョイント部６を有し、このジョイント部６は、吊下手段２に着脱可能であると共に、ジョイント部６と吊下手段２とには吊下検知手段７を設け、この吊下検知手段７は、吊下手段２にジョイント部６が正しく吊下ると導通状態となる構成としたものである。【選択図】図３
2011247201.tif 000002
【特許請求の範囲】
【請求項１】
天井に固定される吊下手段と、この吊下手段を介して吊下げられる天井扇風機本体とを備え、前記天井扇風機本体は、水平方向に付設した複数の羽根を回転するモータと、そのモータの上部に突出したシャフトと、そのシャフトの上部に固定されたジョイント部を有し、このジョイント部は、前記吊下手段に着脱可能であると共に、前記ジョイント部と前記吊下手段とには吊下検知手段を設け、この吊下検知手段は、前記吊下手段に前記ジョイント部が正しく吊下ると導通状態となる構成とした天井扇風機。
【請求項２】
前記吊下検知手段は、前記吊下手段に設けた突起部と電源入切部分と、前記ジョイント部に設けた溝部と押当部分とから構成し、前記ジョイント部は略半球形状で球面に前記溝部を備え、前記吊下手段は前記ジョイント部を可動自在に保持する略お椀形状で、前記シャフトが通ることができる切欠き部と、前記溝部に挿入可能な板形状の前記突起部とを設け、前記ジョイント部に設けた溝部に、前記吊下手段に設けた突起部が入るように吊下げることにより、前記押当部分が前記電源入切部分と接触し、前記電源入切部分が導通状態となる構成とした請求項１に記載の天井扇風機。
【請求項３】
前記突起部は前記ジョイント部の前記溝部に挿入した状態で、前記溝部との間に隙間を備え、ジョイント部が水平方向回転時に、前記ジョイント部の前記溝部の内面と前記ジョイント部の外周面が交わる角部が、前記突起部の端面に接触し、前記突起部が削れるかまたは折れることにより、前記天井扇風機本体が回転し、前記押当部分が前記電源入切部分と離れる構成とした請求項２に記載の天井扇風機。
【請求項４】
前記ジョイント部に設けた溝部に、前記吊下手段に設けた突起部が入らないよう前記天井扇風機本体を吊下げた場合に、前記ジョイント部の一部は、前記吊下手段の略お椀形状に入り込む構成である請求項２または３のいずれかに記載の天井扇風機。
【請求項５】
吊下手段である前記突起部の先端部が略円弧形状である請求項４に記載の天井扇風機。
【請求項６】
前記電源入切部分は、前記吊下手段に固定される固定部と、この固定部分から略上下方向に回動可能に延びた可動部と、スイッチ部とから形成し、前記可動部は、固定部から水平方向へ延びた第１の平板部と、この第１の平板部の先端から下方向へ延びた第２の平板部とから形成し、前記スイッチ部は、前記第２の平板部に押されることにより導通状態となる構成とした請求項２〜５のいずれかに記載の天井扇風機。
【請求項７】
前記第２の平板部に対して垂直方向に延びた複数の垂直面部を設け、この垂直面部の端部と前記押当部分とが接触する構成とした請求項６に記載の天井扇風機。
【請求項８】
電源入切部分である前記固定部と前記可動部とは、樹脂で形成し、前記電源入切部分である前記可動部の回動の中心は、ヒンジ形状である請求項７に記載の天井扇風機。
【発明の詳細な説明】
【技術分野】
【０００１】
本発明は、天井から吊下げられた天井扇風機に関する。
【背景技術】
【０００２】
従来、この種の天井扇風機の構成は、以下のようになっていた。
【０００３】
すなわち、天井に固定される吊下手段と、この吊下手段を介して吊下げられる天井扇風機本体とを備え、前記天井扇風機本体は、水平方向に付設した複数の羽根を回転するモータと、そのモータの上部に突出したシャフトと、そのシャフトの上部に固定されたジョイント部を有し、このジョイント部は、前記吊下手段に着脱可能である構成となっていた  （例えば、これに類似する先行文献は下記特許文献１）。
【先行技術文献】
【特許文献】
【０００４】
【特許文献１】特開平６−８８５９６号公報
【発明の概要】
【発明が解決しようとする課題】
【０００５】
上記従来例における課題は、吊下手段に天井扇風機本体が正しく吊下げられているか確実に確認することが困難であるということであった。
【０００６】
すなわち、現場で天井に吊下手段を固定し、この吊下手段に天井扇風機本体を吊下げる。ここで、天井扇風機本体が、吊下手段に正しく吊下げられているかを確認するのは、目視で行なわれていた。つまり、現場によっては取り付け位置が高く、暗い場合には、吊下手段に天井扇風機本体が正しく吊下げられているか見誤ったり、または、単純に確認を忘れる可能性があった。
【０００７】
そこで本発明は、吊下手段に天井扇風機本体が正しく吊下げられているかを確実に確認できることを目的とするものである。
【課題を解決するための手段】
【０００８】
そしてこの目的を達成するために本発明は、天井に固定される吊下手段と、この吊下手段を介して吊下げられる天井扇風機本体とを備え、前記天井扇風機本体は、水平方向に付設した複数の羽根を回転するモータと、そのモータの上部に突出したシャフトと、そのシャフトの上部に固定されたジョイント部を有し、このジョイント部は、前記吊下手段に着脱可能であると共に、前記ジョイント部と前記吊下手段とには吊下検知手段を設け、この吊下検知手段は、前記吊下手段に前記ジョイント部が正しく吊下ると導通状態となる構成としたものである。
【０００９】
これにより初期の目的を達成するものである。
【発明の効果】
【００１０】
以上のように本発明は、天井に固定される吊下手段と、この吊下手段を介して吊下げられる天井扇風機本体とを備え、前記天井扇風機本体は、水平方向に付設した複数の羽根を回転するモータと、そのモータの上部に突出したシャフトと、そのシャフトの上部に固定されたジョイント部を有し、このジョイント部は、前記吊下手段に着脱可能であると共に、前記ジョイント部と前記吊下手段とには吊下検知手段を設け、この吊下検知手段は、前記吊下手段に前記ジョイント部が正しく吊下ると導通状態となる構成としたものである。
【００１１】
すなわち、天井に吊下手段を固定し、まずこの吊下手段に天井扇風機本体を吊下げる。次に、試運転を行なうことにより、吊下手段に天井扇風機本体が正しく設置されているかを確認できるものである。
【００１２】
つまり、吊下手段に天井扇風機本体を吊下げ、電源供給を行い羽根が回転しないことにより、吊下手段に天井扇風機本体が正しく設置されていないことが容易にわかるものである。
【００１３】
結果として、吊下検知手段によって、吊下手段に天井扇風機本体が正しく吊下げられているかを確実に確認できるものである。
【図面の簡単な説明】
【００１４】
【図１】本発明の実施の形態の天井扇風機の設置状態を示す概略図
【図２】同天井扇風機を示す概略図
【図３】同吊下手段およびジョイント部を示す概略図
【図４】同吊下手段を示す概略図
【図５】同ジョイント部を示す概略図
【図６】同吊下手段を示す概略図
【図７】同吊下手段およびジョイント部を示す概略図
【発明を実施するための形態】
【００１５】
以下、本実施形態を添付図面を用いて説明する。
【００１６】
（実施の形態）
図１および図２に示すように、本実施の形態の天井扇風機１は、天井に固定される吊下手段２と、この吊下手段２を介して吊下げられる天井扇風機本体３から形成されている。
【００１７】
天井扇風機本体３は、モータと、このモータの周縁部に水平方向に付設した複数の羽根４と、モータの上部に突出したシャフト５と、そのシャフトの上部に固定されたジョイント部６とから形成している。このジョイント部６は、吊下手段２に着脱可能な構成である。天井扇風機１の施工方法は、まず天井に吊下手段２を固定し、次に天井扇風機本体３のジョイント部６を吊下手段２に装着するものである。
【００１８】
そして、天井扇風機１は、モータが回転することにより、羽根４が回転し、空気を送風するものである。
【００１９】
本実施形態における特徴は、図３から図５に示すように、ジョイント部６と吊下手段２とには吊下検知手段７を設け、この吊下検知手段７は、吊下手段２にジョイント部６が正しく吊下ると導通状態となる構成とした点である。具体的には、吊下検知手段７は、吊下手段２に設けた突起部８と、電源入切部分９と、ジョイント部６に設けた溝部１０と、押当部分１１とから構成している。ジョイント部６は略半球形状で、上部には上面から水平方向に延びた略平板形状の突起である押当部分１１を備え、球面側面には略縦長四角形状の溝である溝部１０を備えている。ジョイント部６を可動自在に保持する略お椀形状の吊下手段２は、シャフトが通ることができる切欠きの空間である切欠き部１２と、この切欠き部１２の内方へ突出した板形状の突起部８とを設けている。この突起部８は、溝部１０に挿入可能な形状である。ジョイント部６に設けた溝部１０に、吊下手段２に設けた突起部８が入るように吊下げることにより、押当部分１１が電源入切部分９と接触し、電源入切部分９が導通状態となる。
【００２０】
すなわち、天井に吊下手段２を固定し、まずこの吊下手段２に天井扇風機本体３を吊下げ、次に試運転を行なうことにより、吊下手段２に天井扇風機本体３が正しく設置されているかを確認できるものである。
【００２１】
つまり、吊下手段２に天井扇風機本体３を吊下げ、電源供給を行い羽根４が回転しないことにより、吊下手段２に天井扇風機本体３が正しく設置されていないことが容易にわかるものである。
【００２２】
結果として、吊下検知手段７によって、吊下手段２に天井扇風機本体３が正しく吊下げられているかを確実に確認できるものである。
【００２３】
また、突起部８はジョイント部６の溝部１０に挿入した状態で、溝部１０との間に隙間を備え、ジョイント部６が水平方向回転時に、ジョイント部６の溝部１０の内面とジョイント部の外周面が交わる角部１３が、突起部８の端面に接触し、突起部８が削れるかまたは折れることにより、天井扇風機本体３が回転し、押当部分１１が電源入切部分９と離れる構成としたものである。
【００２４】
具体的には、ジョイント部６の溝部１０に吊下手段２の突起部８が嵌り、溝部１０と突起部８との間には隙間を有するので、略半球形状のジョイント部６が吊下手段２に可動自在に吊り下がるものである。そして、天井扇風機本体３を運転した場合に、モータの回転力により、ジョイント部６が水平方向でモータの回転方向に対して逆向きに回転し、ジョイント部６の溝部１０の内面とジョイント部６の外周面が交わる角部１３が、突起部８の端面に接触することとなる。
【００２５】
すなわち、天井扇風機本体３が揺動する場合には、ジョイント部６の溝部１０の内面とジョイント部６の外周面が交わる角部１３が、突起部８の端面に接触する。
【００２６】
このように、接触する面がジョイント部６の角部１３と突起部８の端面であるので接触面積が小さく、よって摩擦力も小さくなり天井扇風機本体３を運転し揺動が発生した場合に、吊下手段２上でジョイント部６がより滑らかに可動することができる。
【００２７】
また、羽根４が不正規の状態に取り付けられたまま天井扇風機１を運転している場合など、運転時における本体の揺動が発生した場合に、その揺動によってジョイント部６の角部１３が、突起部８の端面の一点と擦れ合うこととなる。すなわち、その上下移動距離分のジョイント部６の角部１３が自らも磨耗しながら、突起部８の端面の面積の小さい一点を磨耗することとなる。なお、ジョイント部６の材質は１例としてナイロン６６（登録商標）にガラス繊維が入ったものである。このガラス繊維により、吊下手段２との可動性が向上するとともに、金属を削ることも可能となる。
【００２８】
これにより、吊下手段２の突起部８が削れるか、または折れることとなり、結果として、モータの回転力により、天井扇風機本体３が回転することとなる。
【００２９】
このように、ジョイント部６の角部１３を突起部８の端面に接触させた場合に、突起部８が削れるか、または折れることで、羽根４が不正規の状態に取り付けられたり、羽根に変形がある状態で天井扇風機１を運転している場合などの揺動を感知することができる。
【００３０】
そこで、突起部８が削れるか、または折れることで、天井扇風機本体３が回転した場合に、押当部分１１も回転することにより電源入切部分９と離れ、モータの運転を停止させるものである。
【００３１】
また、ジョイント部６に設けた溝部１０に、吊下手段２に設けた突起部８が入らないよう天井扇風機本体３を吊下げた場合に、ジョイント部６の一部は、吊下手段２の略お椀形状に入り込む構成である。具体的には、吊下手段２にジョイント部６を介して天井扇風機本体３を吊下げ場合には、まず、天井扇風機本体３のシャフト５を吊下手段２の切欠き部１２を通し、略半球形状で球面であるジョイント部６を、略お椀形状の吊下手段２の上部に移動させる。次に、ジョイント部６に設けた溝部１０の位置と、吊下手段２に設けた突起部８の位置とを合わせ、ジョイント部６を下へ移動させることにより、ジョイント部６に設けた溝部１０に、吊下手段２に設けた突起部８が入り、吊下がるものである。
【００３２】
ここで、ジョイント部６の溝部１０の位置と、吊下手段２の突起部８の位置とを合わせずに、ジョイント部６を下へ移動させた場合には、ジョイント部６の溝部１０に、吊下手段２の突起部８が入ってはいないが、ジョイント部６の一部は、吊下手段２の略お椀形状に入り込むので、吊下手段２に天井扇風機本体３が吊下がる状態となる。つまり、ジョイント部６の球面外周に、吊下手段２に設けた突起部８が接触した状態で吊下がる仮吊下げ状態となる。この状態から、ジョイント部６を回転させると、ジョイント部６の溝部１０の位置と、吊下手段２の突起部８の位置が合い、ジョイント部６の溝部１０に、吊下手段２の突起部８が入り吊下がるものである。すなわち、ジョイント部６の溝部１０の位置と、吊下手段２の突起部８の位置とを合わせずに天井扇風機本体３を吊下げた仮吊下げ状態にした後、ジョイント部６を回転させることにより、ジョイント部６の溝部１０の位置と、吊下手段２の突起部８の位置とを容易に合わすことができる。
【００３３】
また、吊下手段２である突起部８の先端部が略円弧形状である。
【００３４】
すなわち、ジョイント部６の溝部１０の位置と、吊下手段２の突起部８の位置とを合わせずに、ジョイント部６を下へ移動させた場合には、ジョイント部６の溝部１０に、吊下手段２の突起部８が入ってはいないが、ジョイント部６の一部は、吊下手段２の略お椀形状に入り込むので、ジョイント部６の球面外周に、吊下手段２に設けた突起部８が接触した状態で吊下がる仮吊下げ状態となる。ここで、ジョイント部６の球面外周に、吊下手段２に設けた突起部８の先端部が接触することとなる。つまり。ジョイント部６の球面外周に、接触することとなる突起部８の先端部が略円弧形状のであるので、吊下手段２の突起部８の位置とを合わせずに天井扇風機本体３を吊下げた仮吊下げ状態にした後、ジョイント部６を容易に回転させることができる。
【００３５】
また、図６および図７に示すように、電源入切部分９は、吊下手段２に固定される固定部１４と、この固定部１４から略上下方向に回動可能に延びた可動部１５と、スイッチ部１６とから形成し、可動部１５は、固定部１４から水平方向へ延びた第１の平板部２０と、この第１の平板部２０の先端から下方向へ延びた第２の平板部２１とから形成し、スイッチ部１６は、第２の平板部２１に押されることにより導通状態となる構成としたものである。
【００３６】
具体的には、電源入切部分９は、吊下手段２にねじによって固定される固定部１４と、この固定部１４から略水平方向へ延び、略上下方向に回動可能な可動部１５とから形成している。可動部１５は、固定部１４から水平方向へ延びた第１の平板部２０と、この第１の平板部２０の先端から下方向へ延びた第２の平板部２１とから形成している。この電源入切部分９の固定部１４の下部には、略水平方向にスイッチ部１６が固定されている。このスイッチ部１６は、接点を内蔵した略円柱形状のスイッチ本体部１７と、このスイッチ本体部１７から延びた略円柱形状で、出没自在なスイッチ突出部１８とから形成している。
【００３７】
ここで、ジョイント部６に設けた溝部１０に、吊下手段２に設けた突起部８が入るように吊下げることにより、ジョイント部６の上面から水平方向に延びた押当部分１１が、電源入切部分９の可動部１５と接触し、更に可動部１５を押し下げる。この可動部１５は、下方向に回動しながら下がり、第２の平板部２１が、スイッチ部１６のスイッチ突出部１８をスイッチ本体部１７内に所定の位置まで押し込む。つまり、スイッチ突出部１８がスイッチ本体部１７内に所定の位置まで押し込まれることにより、スイッチ本体部１７に内蔵した接点が導通状態となり、電源入切部分９が導通状態となる。また、スイッチ部１６の１例はプッシュオンスイッチである。
【００３８】
すなわち、可動部１５は、固定部１４から水平方向へ延びた第１の平板部２０と、この第１の平板部２０の先端から下方向へ延びた第２の平板部２１とから形成しているので、ジョイント部６の押当部分１１が、下方向へ押す力を、略水平方向へ変換できる。これにより、略水平方向にスイッチ部１６を装着できるので、吊下手段２からのスイッチ部１６に出張りを抑制できる。
【００３９】
また、第２の平板部２１に対して垂直方向に延びた複数の垂直面部２２を設け、この垂直面部２２の端部と押当部分１１とが接触する構成としたものである。
【００４０】
具体的には、可動部１５は、固定部１４から水平方向へ延びた第１の平板部２０と、この第１の平板部２０の先端から下方向へ延びた第２の平板部２１と、この第２の平板部２１の上面から上方向へ延びた平板形状の垂直面部２２とから形成している。この垂直面部２２の端部とジョイント部６の上面から水平方向に延びた押当部分１１の下面とが接触するものである。この押当部分１１の下面が垂直面部２２の端部を介して可動部１５を押し下げ、固定部１４と可動部１５である第１の平板部２０との連結部を中心に、可動部１５は下方向に回動しながら下がり、スイッチ部１６のスイッチ突出部１８をスイッチ本体部１７内に所定の位置まで押し込むものである。ここで、可動部１５である垂直面部２２も下方向に回動しながら下がるので、垂直面部２２の端部が押当部分１１の下面を滑りながら移動するものである。
【００４１】
すなわち、可動部１５と固定部１４との接触部分が垂直面部２２の端部であり、接触面積が小さいので、可動部１５を滑らかに下方向に回動しながら下げることができる。
【００４２】
また、電源入切部分９である固定部１４と可動部１５とは、樹脂で形成し、電源入切部分９である可動部１５の回動の中心は、ヒンジ形状である。つまり、固定部１４と可動部１５である第１の平板部２０との連結部である可動部１５の回動の中心は、ヒンジ形状である。
【００４３】
すなわち、固定部１４と可動部１５とは樹脂で形成し、可動部１５の回動の中心をヒンジ形状にすることにより、新たなに軸となる部品を使わずに回転軸を作ることができる。
【産業上の利用可能性】
【００４４】
以上のように本発明は、天井に固定される吊下手段と、この吊下手段を介して吊下げられる天井扇風機本体とを備え、前記天井扇風機本体は、水平方向に付設した複数の羽根を回転するモータと、そのモータの上部に突出したシャフトと、そのシャフトの上部に固定されたジョイント部を有し、このジョイント部は、前記吊下手段に着脱可能であると共に、前記ジョイント部と前記吊下手段とには吊下検知手段を設け、この吊下検知手段は、前記吊下手段に前記ジョイント部が正しく吊下ると導通状態となる構成としたものである。
【００４５】
すなわち、天井に吊下手段を固定し、まずこの吊下手段に天井扇風機本体を吊下げる。次に、試運転を行なうことにより、吊下手段に天井扇風機本体が正しく設置されているかを確認できるものである。
【００４６】
つまり、吊下手段に天井扇風機本体を吊下げ、電源供給を行い羽根が回転しないことにより、吊下手段に天井扇風機本体が正しく設置されていないことが容易にわかるものである。
【００４７】
結果として、吊下検知手段によって、吊下手段に天井扇風機本体が正しく吊下げられているかを確実に確認できるものである。
【００４８】
したがって、家庭用や事務所用などの、天井扇風機として活用が期待されるものである。
【符号の説明】
【００４９】
１    天井扇風機
２    吊下手段
３    天井扇風機本体
４    羽根
５    シャフト
６    ジョイント部
７    吊下検知手段
８    突起部
９    電源入切部分
１０  溝部
１１  押当部分
１２  切欠き部
１３  角部
１４  固定部
１５  可動部
１６  スイッチ部
１７  スイッチ本体部
１８  スイッチ突出部
２０  第１の平板部
２１  第２の平板部
２２  垂直面部
【図１】
2011247201.tif 000003
【図２】
2011247201.tif 000004
【図３】
2011247201.tif 000005
【図４】
2011247201.tif 000006
【図５】
2011247201.tif 000007
【図６】
2011247201.tif 000008
【図７】
2011247201.tif 000009